(57)【要約】【課題】従来の選別機はトロンメルの回転を停止させても、トロンメル内の被選別物がそのまま排出口から外にダラダラと排出されてしまう。【解決手段】切頭円錐筒状のトロンメル５を、側面視でその周面の下側輪郭線Ｙが水平または広口側が狭口側より下げる横倒し状態で支持しており、広口側が投入口になっている。投入された廃棄物がトロンメル５の回転による遠心力を受けたり持上げ用突起１３に載ったり引っ掛けられたりしてトロンメル５の内周面に沿って持ち上げられ、ある程度の高さまで行くと今度は重力により落下する。このようにして、攪拌されながら螺旋軌道を描いて、排出口１１に向かって送られ、その途中では、小径の砂等が篩下産物として回収される。回転を停止すると、トロンメル５は水平に横倒しされているので、回転が停止すると、トロンメル５内の廃棄物はそのままトロンメル５内に留まり、排出口１１からは排出されない。【選択図】        図３
2011240310.tif 000002
【特許請求の範囲】
【請求項１】
切頭円錐筒状のトロンメルを、側面視でその周面の下側輪郭線が水平または広口側が狭口側より下がる横倒し状態で支持しており、前記広口側が投入口になっていることを特徴とする回転篩式選別機。
【請求項２】
請求項１に記載した回転篩式選別機において、
トロンメルの頂角は４５°以下で、前記トロンメルはその周面の下側輪郭線の傾斜角度は水平面に対して−２０°以上０°以下で、且つ上側輪郭線の傾斜角度は水平面に対して０°を超え４５°以下になるように設置されていることを特徴とする回転篩式選別機。
【請求項３】
請求項１または２に記載した回転篩式選別機において、
トロンメルの内周面には持上げ用突起が設けられていることを特徴とする回転篩式選別機。
【発明の詳細な説明】
【技術分野】
【０００１】
本発明は、被選別物を選別するための選別機に係り、特にトロンメルを備えた回転篩式選別機に関するものである。
【背景技術】
【０００２】
従来から砂や金属や廃プラスチックや木や紙等が混ざった産業廃棄物等を選別する選別機として、円筒形のトロンメルを備えた回転篩式選別機が用いられている。このトロンメルの周面は篩目になっており、トロンメルが回転することで攪拌されながら、篩上産物と篩下産物とに篩分けされるようになっている。
【先行技術文献】
【特許文献】
【０００３】
【特許文献１】特開平０７−１３６５８９号公報
【発明の概要】
【発明が解決しようとする課題】
【０００４】
しかしながら、従来は、篩上産物を排出口まで送るために、トロンメルは排出口側が投入口側より低位になるよう傾斜した状態で支持されている。
従って、選別作業を中止するためにトロンメルの回転を停止させても、トロンメル内の廃棄物がダラダラと排出口まで送られそのまま外に排出されてしまう。そのため、排出口側に手選別用コンベア装置を連設させたような場合には、その受入側にトロンメルから排出された廃棄物がそのまま落下して溜まることになり、誠に都合が悪い。
【０００５】
本発明は上記従来の問題点に着目してなされたものであり、トロンメルの回転を停止させると、トロンメル内の廃棄物が排出されずにそのままそこに留まる回転篩式選別機を提供することを目的とする。
【課題を解決するための手段】
【０００６】
本発明は、上記目的を達成するためになされたものであり、請求項１の発明は、切頭円錐筒状のトロンメルを、側面視でその周面の下側輪郭線が水平または広口側が狭口側より下がる横倒し状態で支持しており、前記広口側が投入口になっていることを特徴とする回転篩式選別機である。
【０００７】
請求項２の発明は、請求項１に記載した回転篩式選別機において、トロンメルの頂角は４５°以下で、前記トロンメルはその周面の下側輪郭線の傾斜角度は水平面に対して−２０°以上０°以下で、且つ上側輪郭線の傾斜角度は水平面に対して０°を超え４５°以下になるように設置されていることを特徴とする回転篩式選別機である。
【０００８】
請求項３の発明は、請求項１または２に記載した回転篩式選別機において、トロンメルの内周面には持上げ用突起が設けられていることを特徴とする回転篩式選別機である。
【発明の効果】
【０００９】
本発明の回転篩式選別機によれば、トロンメルの回転を停止させると、トロンメル内の被選別物がそのままそこに留まって排出されずに済む。
【図面の簡単な説明】
【００１０】
【図１】本発明の実施の形態に係る回転篩式選別機の斜視図である。
【図２】図１の回転篩式選別機の正面図である。
【図３】図１の回転篩式選別機と、その排出口側に連設された手選別用コンベア装置とからなる選別設備の運転中の状態を説明するための一部断面側面図である。
【図４】図３の選別設備の停止中の状態を説明するための一部断面側面図である。
【発明を実施するための形態】
【００１１】
本発明の実施の形態に係る選別設備１について図面にしたがって説明する。
この選別設備１は、図３に示すように、回転篩式選別機３と、手選別用コンベア装置４１とを備える。
【００１２】
先ず、回転篩式選別機３について説明する。
図１において符号５はトロンメルを示し、このトロンメル５は切頭円錐筒状をしており、周面がパンチメタルで構成されて篩目７になっている。
このトロンメル５では、広口端の外方フランジ部にほぼ同径の短い円筒状連結部９の後端の外方フランジ部が合わされて連結されており、この円筒状連結部９の開口端側が投入口になっている。そして、狭口側が排出口１１になっている。
トロンメル５の内周面には持上げ用突起１３が所定の間隔をおいて複数設けられている。各持上げ用突起１３は上面方向から見て断面Ｌ字状をなしており、直立部が内方に向かって起立するようにトロンメル５の内周面に固定されている。
【００１３】
次に、上記した形状のトロンメル５を回転自在に支持する支持機構について説明する。
トロンメル５の円筒状連結部９には前方側にも一対の外方フランジ部１４が設けられており、その一対の外方フランジ部１４にはそれぞれ内面側に複数のガイドローラー１５が取り付けられている。ガイドローラー１５は外方フランジ部１４に一定の間隔をおいて８箇所ずつ設けられており、一方の内面側のガイドローラー１５は他方の内面側のガイドローラー１５に対向している。
符号１６は無端状チェーンを示し、この無端状チェーン１６が上記した円筒状連結部９の一対の外方フランジ部１４間の外周面に巻き回され固定されている。
【００１４】
一方、符号１７は支持フレームを示し、この支持フレーム１７の前面側には矩形状部分１８があるが、この矩形状部分１８の左右上側にはそれぞれ斜めに補強材１９が取り付けられている。この矩形状部分１８は、図３に示すように、後方に向かって倒れた姿勢になっている。符号２０は環状ガイドレールを示す。この環状ガイドレール２０には前後方向にはそれぞれ外方に延びる外方フランジ部２１が備えられて、断面コの字状をなしている。上記した環状ガイドレール２０はこの支持フレーム１７の矩形状部分１８や補強材１９に対してその内側に取り付けられ固定されている。
矩形状部分１８の下部二箇所には左右対称に支持ローラー２２を回転自在に支持したローラー受部２３が前後一対で設けられている。また、下部中央寄りの一箇所には軸受部が固定されている。この軸受部には、駆動用スプロケット２５が連結されたシャフトが回転自在に支持されている。このシャフトには別のスプロケット２６も連結されており、ギヤードモーター２７からの回転力がチェーン２９とスプロケット２６を介して駆動用スプロケット２５に伝達されるようになっている。
【００１５】
トロンメル５側の円筒状連結部９の一対の外方フランジ部１４の両外側の外周面が支持ローラー２２により持ち上げて支持させている。また、環状ガイドレール２０が無端状チェーン１６に対して上側から若干の隙間をあけて被り、その前後の外方フランジ部２１にトロンメル５側のガイドローラー１５を両側から挟み込ませている。
また、駆動用スプロケット２５にトロンメル５側の無端状チェーン１６が噛合っている。
上記支持機構により、トロンメル５は支持フレーム１７に対して安定式に支持され、ギヤードモーター２７から回転力を受けると回転するようになっている。
【００１６】
トロンメル５の頂角（Ａ）は３６°になっており、広口側の直径は２，０００ｍｍ、狭口側の直径は６００ｍｍ、軸線方向の長さは２，０００ｍｍに設定されている。また、トロンメル５は支持フレーム１７の後倒した矩形状部分１８に対して、図３の側面図に示すように横倒され水平に寝た姿勢で設置されており、その上側輪郭線Ｘの水平面に対する傾斜角度（α）は頂各（Ａ）と同じで３６°になっている。また、その下側輪郭線Ｙの水平面に対する傾斜角度（β）は、０°になっている。
なお、トロンメル５の設計仕様に応じてトロンメル５の設置角度は異なり、特に排出口１１である狭口側の直径にトロンメル５の設置角度は影響されるものであり、上記のトロンメル５の設置角度はあくまでの上記設計仕様でのみ有効であることは理解されたい。
【００１７】
廃棄物に含まれる各種分別物の大きさや重さや割合等を考慮して、トロンメル５の狭口側の排出口１１の面積や長さ寸法が設定されている。
また、傾斜角度の設定可能範囲は、０°＜α≦４５°、−２０°≦β≦０°である。この範囲は、被選別物のトロンメル５内でのスムーズな送りを考慮して設定されたものであり、その範囲内でいずれの傾斜角度（α）、（β）に設定するかは、被選別物に含まれる各種分別物の大きさや重量や割合により変わるが、現在までに市販されている回転篩式選別機を用いて選別されているような種類のものであれば、この範囲内で頂角（Ａ）を４５°以下に設定し、トロンメル５の回転速度を適宜にすることでより、被選別物の送りは可能である。
この実施の形態で設定された頂角（Ａ）、傾斜角度（α）、（β）はいずれも上記した範囲内に収まっている。
【００１８】
図３において符号３１は投入用ホッパーを示す。この投入用ホッパー３１は支持プレート３３の開口部に内嵌されており、投入用ホッパー３１の基端部が円筒状連結部９の投入口側から中に若干入り込んでいる。
トロンメル５には上側からカバー３９が被せられており、周囲に粉塵が舞ったりしないようになっているが、上記した投入用ホッパー３１側の支持プレート３３がこのカバー３９に対して取り付けられており、トロンメル５が回転しても投入用ホッパー３１は常時同じ姿勢になっている。
なお、投入用ホッパー３１は、図１、図２ではトロンメル５の構造の説明の便宜のため省略している。
【００１９】
トロンメル５を支持する支持フレーム１７はフレーム機台３５上に載置されており、排出口１１もある程度の高さ位置にある。
また、トロンメル５の篩目７の下方には、回収容器３７が臨んでおり、篩目７を通過した篩下産物が回収されるようになっている。
【００２０】
手選別用コンベア装置４１について説明する。
図３に示すように、この手選別用コンベア装置４１の選別用ベルト４３はトロンメル５の排出口１１よりも低位置で周回走行しており、その前端部はトロンメル５の排出口１１から出た篩上産物を受け取るようになっている。
【００２１】
上記した選別設備１の動作による選別作業の進展を説明する。
この選別設備１は、砂、金属、廃プラスチック、木、紙等が混ざった産業廃棄物の選別作業に用いるものであり、先ず、回転篩式選別機３側の投入用ホッパー３１に廃棄物を投入しておく。
その後に、回転篩式選別機３と手選別用コンベア装置４１を起動させて、回転篩式選別機３のトロンメル５を回転させると共に、手選別用コンベア装置４１の選別用ベルト４３を周回走行させる。
すると、廃棄物がトロンメル５の回転による遠心力を受けたり持上げ用突起に載ったり引っ掛けられたりしてトロンメル５の内周面に沿って持ち上げられ、ある程度の高さまで行くと今度は重力により落下する。このようにして、攪拌されながら螺旋軌道を描いて、排出口１１に向かって送られる。その途中では、トロンメル５の篩効果により、小径の砂等が篩下産物として篩目７を通って落下して回収容器３７に回収される。従って、排出口１１からは残りの有る程度の大きさの金属、廃プラスチック、木、紙等が篩上産物として排出される。
排出された篩上産物は手選別用コンベア装置４１の移動中の選別用ベルト４３上に順次落下する。選別用ベルト４３の上面の全長にわたって落下すると、装置を停止して手選別を行い、終了すると、回転篩式選別機３と手選別用コンベア装置４１を再起動させる。
このように起動と停止を繰り返しながら、選別作業を進めていく。
【００２２】
トロンメル５が円錐筒状になっており、その広口の投入側が水平または狭口の排出側より下がるように配置されているので、投入用ホッパー３１には溢れるように被選別物を投入することができ、投入効率が良くなっている。
【００２３】
装置を停止させて、回転篩式選別機３のトロンメル５の回転や手選別用コンベア装置４１の選別用ベルト４３の周回走行を停止させると、トロンメル５は水平に寝た状態で横倒しされているので、トロンメル５内の廃棄物はそのままトロンメル５内に留まり、排出口１１からは排出されない。
このように、運転中は、廃棄物の選別がスムーズに進行し、運転停止後は篩選別前の廃棄物はそのままトロンメル５内に留まるので、特に、手選別ラインを後続側とした選別設備１では都合が誠に良い。
【００２４】
以上、本発明の実施の形態について詳述してきたが、具体的構成は、この実施の形態に限られるものではなく、本発明の要旨を逸脱しない範囲における設計の変更などがあっても発明に含まれる。
例えば、上記の実施の形態では、側面視でトロンメル５がその周面の下側輪郭線Ｙが水平になるように配置されているが、投入口側を排出口１１側より下げてもよい。
【産業上の利用可能性】
【００２５】
本発明の回転篩式選別機は産業廃棄物等の選別作業、特に手選別ラインが後続している選別設備を用いた選別作業に有用である。
【符号の説明】
【００２６】
１…選別設備
３…回転篩式選別機
５…トロンメル                    ７…篩目
９…円筒状連結部                １１…排出口
１３…持上げ用突起                １４…（円筒状連結部の）外方フランジ部
１５…ガイドローラー              １６…無端状チェーン
１７…支持フレーム                １８…矩形状部分
１９…補強材                      ２０…環状ガイドレール
２１…（環状ガイドレールの）外方フランジ部
２２…支持ローラー                ２３…ローラー受部
２５…駆動用スプロケット          ２６…スプロケット
２７…ギヤードモーター            ２９…チェーン
３１…投入用ホッパー              ３３…支持プレート
３５…フレーム機台                ３７…回収容器
３９…カバー
４１…手選別用コンベア装置        ４３…選別用ベルト
【図１】
2011240310.tif 000003
【図２】
2011240310.tif 000004
【図３】
2011240310.tif 000005
【図４】
2011240310.tif 000006